(57)【要約】      （修正有） 【課題】カジュアルに着用できる二部式着物を提供する。【解決手段】二部式着物１は、上衣２と胴巻き状下衣３とを備え、上衣の首回り部から胸元にかけてフード４を有することを特徴とする。【選択図】図１
0003200971.tif 000002
【実用新案登録請求の範囲】
【請求項１】
上衣と胴巻き状下衣とを備え、前記上衣の首回り部分から両胸元にかけてフードを有する二部式着物。
【考案の詳細な説明】
【技術分野】
【０００１】
本考案は、カジュアルに着こなせる二部式着物に関する。
【背景技術】
【０００２】
従来の二部式着物は、上衣と胴巻き状下衣の上下に分けた着物であって、和風のイメージが強すぎて、カジュアルに着用できるものではなかった。
【考案の概要】
【考案が解決しようとする課題】
【０００３】
本考案は、カジュアルに着ることができる二部式着物を提供する。
【課題を解決するための手段】
【０００４】
本考案は、上衣と胴巻き状下衣とを備え、上衣の首回り部分から両胸元にかけてフードを有する二部式着物。
【考案の効果】
【０００５】
本考案によれば、フードを有した二部式着物であるので、着物のイメージが強調されずカジュアルに着用できる。
【図面の簡単な説明】
【０００６】
【図１】本考案の実施の形態の正面図
【図２】本考案の実施の形態の上衣を開いた状態を示す正面図
【図３】本考案の実施の形態の上衣の開いた状態を示す背面図
【図４】本考案の実施の形態の下衣を開いた状態を示す正面図
【図５】本考案の実施の形態の側断面図
【図６】本考案の実施の形態の上衣をたたんだ状態を示す側面図
【図７】本考案の着用時を示す側面図
【考案を実施するための形態】
【０００７】
以下、本考案の実施の形態を図１〜図７に基づいて説明する。
【０００８】
図１〜図７が示すように、本考案の二部式着物１は、上衣２と胴巻き状下衣３を備え、上衣２の衿元８から掛け衿７にかけてフード４を有している。
【０００９】
図２、３に示すように、上衣２に、上衣上前の地衿のウェスト部のヒモ１１ａ、上衣上前の内側の左脇下のウェスト部のヒモ１１ｂ、上衣下前の地衿のウェスト部のヒモ１２ａ、上衣下前の外側の右脇下のウェスト部のヒモ１２ｂをそれぞれに設けている。
【００１０】
図４に示すように、胴巻き状下衣３に、胴巻き状下衣の上前上端部のヒモ１３ａ、胴巻き状下衣の下前上端部のヒモ１４ａを設けている。また、胴巻き状下衣３の真後上部にベルト通し状のヒモ通し１５を備え、胴巻き状下衣３の上前上端部のヒモ１３ａ、下前上端部のヒモ１４ａをヒモ通し１５に通すことによって、着用時の臀部の着崩れを防ぐことができるのでよい。そのヒモ通しは、真後上部中央に一つでもいいし、真後上部両サイドに二つ備えてもいいし、なくてもよい。
【００１１】
胴巻き状下衣３は、巻きスカートのように胴に巻き付けて、上前上端部のヒモ１３ａ・下前上端部のヒモ１４ａを、真後中央上部に備えたヒモ通し１５に通して、胴後部でクロスさせ、体前部で結ぶ。ポイントは、着物着用時と同様に左前に胴に巻きつけることと、下前が前から見えないようにすることである。
【００１２】
上衣２を着用し、袖部５を通したら、上衣下前部１２を上半身前に沿うように合わせ、上衣下前の地衿６のウェスト部のヒモ１２ａと上衣上前の内側の左脇下のウェスト部のヒモ１１ｂとを結ぶ。次に、上衣上前の地衿６のウェスト部のヒモ１１ａと上衣下前の外側の右脇下のウェスト部のヒモ１２ｂとを結ぶ。
【００１３】
スタイルアップのために、ウェスト部１０を細くして、ウェストラインを強調してもよい。また、袖部５の袖丈と胴巻き状下衣３の長さは、カジュアル感を出すため、短い方がよい。例えば、袖丈５ａから５ｂは２１ｃｍ、胴巻き状下衣３の長さは、足首の見える長さ、或は、それより短くてもよい。
【００１４】
図５に示すように、フード４の端辺部１６と上衣２の外側（図５では右側）の衿本体の端部１７を合わせて縫い、その上に地衿６と掛け衿７とを重ね合わせて縫う。
【００１５】
図６に示すように、フード４の大きさは、例えば、端部４ａから端部４ｂは３２ｃｍ４ｂ端部から端部４ｃは４４ｃｍの大きさで設けるとよい。また、端部４ｂは、緩やかな丸みをもたせてもよい。  
【００１６】
図７に示すように、着用時、頭部を締め付けてヘヤースタイルが、ペチャンコにならず、また、オシャレでゆったりとした感じを出すため、大きめに設けている。また、大きめのフードは、深く被ることができるので、日除け効果が得られる。  
【００１７】
カジュアルに着用できる本考案は、帯を締めなくてよい二部式着物なので、長襦袢の衿を出さなくてよく、また、着用時に、体の線が出ることもなくゆったりと着用できるので、和装用の下着等を着る必要はない。例えば、見えてもいいような薄手の服等を着るなど、自由に選択できる。  
【００１８】
衿の部分全体を内側に折り込んで着用してもよい。内側に折り込むことによって、胸元の開放部が広くなるが、例えば、スーツの襟のように張りがキープできるので、だらっとした印象にはならない。逆に、着こなしの幅が広がる。
【００１９】
最近は、ゆかたや着物が外国人に人気があり、日本に観光に来て着用しているのを見かける。しかし、それは、日本で特に京都等での着用のみで、お土産として、または、自身用に購入し、帰国後の着用は限られている。本考案は、単なる飾ってあるだけのお土産ではなく自身として、また、贈答された人も、実用的に普段でも気軽にカジュアルに着用できる。当然外国人だけでなく、日本人にも同様に実際的に楽しむことができる。
【００２０】
本考案のフード付き二部式着物は、着物と洋服とを合わせた感覚のものであるので、体型・年齢等を選ばずカジュアルに着物の和柄を楽しむことができる。着物の花鳥風月等の和柄は、着る人も、また、それを見る人の心も豊かにしてくれる。本考案は、第三の着物として広く受け入れられやすい。
【００２１】
本考案において、素材を替えることで、より着用範囲が広がる。例えば、タオル地等に替えると、バスローブやビーチウェアとして着用できる。また、キルト地のような厚手の生地にすると、防寒になるとともに、とっさの時にフードを被ることにより頭部を守ることができる。いずれの場合にも、伝統的な着物の和柄を用いる。
【００２２】
本考案の二部式着物は、介護にも有効である。介護者にとって着脱させやすく、要介護者にとっては、綺麗な和柄を着用することにより明るい気持ちへと導かれることが期待できる。介護用とする場合は、耐久性のあるタフな生地にするとよい。
【００２３】
本考案を、ミニサイズで作り、着せ替え人形用の衣装としてもよい。形は同じでも、着物の和柄は色彩豊富なので、着せ替えを楽しむことができる。また、キーホルダーの人形の衣装として使用してもよい。
【００２４】
本考案は、前記したように、第三の着物として受け入れられることにより、本格的な着物の普及に貢献することができ、同業界の活性化・雇用の安定につながる可能性がある。
【符号の説明】
【００２５】
１    二部式着物
２    上衣
３    胴巻き状下衣
４    フード
４ａ〜４ｃ  フード端部  
５    袖部
５ａ〜５ｂ  袖部端部（袖丈）
６    地衿
７    掛け衿
８    首回り部（衿元）
９    胸元部
１０    ウェスト部
１１    上衣上前部
１１ａ  上衣上前の地衿のウェスト部のヒモ
１１ｂ  上衣上前の内側の左脇下のウェスト部のヒモ
１２    上衣下前部
１２ａ  上衣下前の地衿のウェスト部のヒモ
１２ｂ  上衣下前の外側の右脇下のウェスト部のヒモ
１３    胴巻き状下衣の上前部
１３ａ  胴巻き状下衣の上前上端部のヒモ
１４    胴巻き状下衣の下前部
１４ａ  胴巻き状下衣の下前上端部のヒモ
１５    ヒモ通し
１６    フード端辺部
１７    衿本体の端部
【図１】
0003200971.tif 000003
【図２】
0003200971.tif 000004
【図３】
0003200971.tif 000005
【図４】
0003200971.tif 000006
【図５】
0003200971.tif 000007
【図６】
0003200971.tif 000008
【図７】
0003200971.tif 000009